(57)【要約】【課題】入力ペンの紛失を防止するとともに、操作性の向上を図る。【解決手段】タッチパネルＰが形成された機器本体２と、機器本体２に対して開閉自在に設けられた保護カバー３と、手書きにより情報入力するための入力ペン４を備え、保護カバー３に入力ペン４を収納するペン収納部６が設けられるとともに、機器本体２に保護カバー３のペン収納部６を収納する凹み部２１が設けられたペン入力型情報機器１において、保護カバー３の閉鎖時に、ペン収納部６に収納された入力ペン４の一部と機器本体２とが嵌合することにより、保護カバー３が機器本体２に固定される。【選択図】図１
2004258996.tif 000002
【特許請求の範囲】
【請求項１】
タッチパネルが形成された機器本体と、機器本体に対して開閉自在に設けられてタッチパネルを保護する保護カバーと、タッチパネルを介して手書きにより情報入力するための入力ペンを備え、保護カバーに入力ペンを収納するペン収納部が設けられるとともに、機器本体に保護カバーのペン収納部を収納する凹み部が設けられたペン入力型情報機器において、保護カバーの閉鎖時に、ペン収納部に収納された入力ペンの一部と機器本体とが嵌合することにより、保護カバーが機器本体に固定されるように構成されていることを特徴とするペン入力型情報機器。
【請求項２】
前記保護カバーの端部に、入力ペンを収納可能な中空筒状のペン収納部が設けられている一方、機器本体の凹み部を区画する一方の突き出し部に、入力ペンのペン先が嵌合可能な嵌合凹部が設けられており、ペン収納部に入力ペンを収納した状態で、その入力ペンのペン先がペン収納部の先端に設けられた穴を通じて外部に突出し、その突出したペン先が、保護カバーの閉鎖時に、機器本体の嵌合凹部に嵌合して保護カバーが固定されるように構成されていることを特徴とする請求項１記載のペン入力型情報機器。
【請求項３】
前記機器本体の凹み部を区画する一方の突き出し部に、周囲に溝を有して独立した弾性変形可能なリブが入力ペンのペン先に対向して形成され、このリブに嵌合凹部が設けられていることを特徴とする請求項２記載のペン入力型情報機器。
【請求項４】
前記入力ペンが、ペン軸方向に伸縮自在に構成されていることを特徴とする請求項２記載のペン入力型情報機器。
【請求項５】
前記機器本体の凹み部を区画する一方の突き出し部に、入力ペンの基端部に対向して、緩衝材が配設されていることを特徴とする請求項２記載のペン入力型情報機器。
【請求項６】
前記機器本体の凹み部を区画する一方の突き出し部の内壁面が、入力ペンのペン先に対向する上端から嵌合凹部にわたって、曲面に形成されていることを特徴とする請求項２記載のペン入力型情報機器。
【発明の詳細な説明】
【０００１】
【発明の属する技術分野】
本発明は、入力ペンにより情報の入力を行う電子メモ、電子手帳等のペン入力型情報機器に関する。
【０００２】
【従来の技術】
入力ペンで情報を入力することにより、キーボードに慣れていない利用者に対して使い易さを向上させたり、キーボードが不要になるため電子機器の小型化を図ることができることから、近年、電子メモ、電子手帳（ＰＤＡ）は、ペン入力型が主流となっている。このようなペン入力型情報機器には、入力ペンが付属されており、入力ペンは、通常、機器本体に差し込まれるなどの方法により取り付けられている。
【０００３】
また、ほとんどのペン入力型情報機器には、画面を保護するために保護カバーが備えられており、保護カバーの閉鎖時に、入力ペンを保護カバーや機器本体に差し込むことにより、保護カバーが機器本体に固定される技術が知られている（例えば、特許文献１、２参照。）。
【０００４】
例えば、特許文献１には、保護カバーの端縁に設けられた取り付け部に入力ペンを取り付けた状態で保護カバーを閉鎖したとき、入力ペンが、取り付け部とともに機器本体に形成された入力ペン収納部に収納され、入力ペンを入力ペン収納部内でペン軸方向に移動させることにより、保護カバーを機器本体に固定するペン入力型情報機器が記載されており、情報機器の不使用時だけではなく、使用時においても、入力ペンの紛失を防ぐことができるものである。
【０００５】
特許文献２には、保護カバーと機器本体それぞれの遊端部分に、保護カバーの閉鎖状態で互いに嵌合するペン収納部が一体的に形成され、各ペン収納部に、嵌合状態で同軸上に連通するペン収納用孔が形成され、同軸状態のペン収納用孔間にわたって、入力ペンを挿抜自在としたペン入力式の携帯型電子機器が記載されており、保護カバーのロック機構と入力ペンの収納機構について、構造を簡素化することにより部品点数を削減し、コストダウンを図るものである。
【０００６】
【特許文献１】
特開平１０−３０７６６６号公報
【特許文献２】
実開平６−４８４０号公報
【０００７】
【発明が解決しようとする課題】
しかしながら、特許文献１記載のペン入力型情報機器では、保護カバーの取り付け部に入力ペンを取り付ける際、保護カバーを開けた状態で、まず取り付け部の途中まで入力ペンを差込み、その後、保護カバーを閉鎖し、さらに、入力ペンを移動させて、保護カバーをロックする必要がある。ところが、保護カバーを開けた状態で、入力ペンを取り付け部の挿入可能位置の奥まで差し込んでしまうと、入力ペンの先端が入力ペン収納部から飛び出してしまい、保護カバーを閉鎖する際に、入力ペンの先端が機器本体に衝突し、保護カバーを閉鎖できないだけでなく、入力ペンの先端が破損するおそれがある。しかも、入力ペンは、入力ペン取り付け部の挿入可能位置の奥まで、容易に差し込むことができるために、使用者は、入力ペンの取り付けに際して、相当の注意を払わなければならない。
【０００８】
また、特許文献２記載の機器では、保護カバーを開け閉めする度に、入力ペンを抜く必要があり、入力ペンを使用しない場合などには、使用者は全く無意味な操作を強いられることになり、また、入力ペンを紛失しやすくなる。
【０００９】
本発明は、このような事情に鑑み創作されたものであって、入力ペンの紛失を効果的に防止するとともに、操作性の向上を図ることができるペン入力型情報機器を提供するものである。
【００１０】
【課題を解決するための手段】
上記の目的を達成するため、本発明は、タッチパネルが形成された機器本体と、機器本体に対して開閉自在に設けられてタッチパネルを保護する保護カバーと、タッチパネルを介して手書きにより情報入力するための入力ペンを備え、保護カバーに入力ペンを収納するペン収納部が設けられるとともに、機器本体に保護カバーのペン収納部を収納する凹み部が設けられたペン入力型情報機器において、保護カバーの閉鎖時に、ペン収納部に収納された入力ペンの一部と機器本体とが嵌合することにより、保護カバーが機器本体に固定されるように構成されていることを特徴とする。
【００１１】
この発明によれば、ペン収納部に入力ペンを収納して、入力ペンの紛失を防止することができる。また、保護カバーの閉鎖時に、収納した入力ペンの一部と機器本体とが嵌合して保護カバーを固定することができるので、少ない部品点数で、保護カバーのロック機構を実現することができる。さらに、保護カバーを閉鎖するだけで、保護カバーを機器本体に固定することができるので、操作が簡単である。
【００１２】
本発明は、前記保護カバーの端部に、入力ペンを収納可能な中空筒状のペン収納部が設けられている一方、機器本体の凹み部を区画する一方の突き出し部に、入力ペンのペン先が嵌合可能な嵌合凹部が設けられており、ペン収納部に入力ペンを収納した状態で、その入力ペンのペン先がペン収納部の先端に設けられた穴を通じて外部に突出し、その突出したペン先が、保護カバーの閉鎖時に、機器本体の嵌合凹部に嵌合して保護カバーが固定されるように構成されていることを特徴とする。
【００１３】
この発明によれば、保護カバーの閉鎖時に、ペン収納部の先端の穴から外部に突出した入力ペンのペン先と、嵌合凹部とが嵌合することにより保護カバーを固定することができるので、少ない部品点数で、保護カバーのロック機構を実現することができる。また、保護カバーを閉鎖するだけで、保護カバーを機器本体に固定することができるので、操作が簡単である。
【００１４】
本発明は、前記機器本体の凹み部を区画する一方の突き出し部に、周囲に溝を有して独立した弾性変形可能なリブが入力ペンのペン先に対向して形成され、このリブに嵌合凹部が設けられていることを特徴とする。
【００１５】
この発明によれば、ペン先と嵌合凹部とが嵌合する過程で、機器本体の突き出し部に設けられているリブが、弾性変形することにより、ペン先と機器本体の嵌合凹部との嵌合がよりスムースになる。したがって、入力ペンのペン先の破損が著しく減少するだけではなく、保護カバーと機器本体との嵌合寿命を飛躍的に向上させることができる。
【００１６】
本発明は、前記入力ペンが、ペン軸方向に伸縮自在に構成されていることを特徴とする。
【００１７】
この発明によれば、ペン先と嵌合凹部とが嵌合する過程で、入力ペンが伸縮することにより、ペン先と機器本体の嵌合凹部との嵌合がよりスムースになり、入力ペンのペン先の破損が著しく減少するだけではなく、保護カバーと機器本体との嵌合寿命を飛躍的に向上させることができる。
【００１８】
本発明は、前記機器本体の凹み部を区画する一方の突き出し部に、入力ペンの基端部に対向して、緩衝材が配設されていることを特徴とする。
【００１９】
この発明によれば、ペン先と嵌合凹部とが嵌合する過程で、緩衝材が圧縮変形することにより、ペン先と機器本体の嵌合凹部との嵌合がよりスムースになり、入力ペンのペン先の破損が著しく減少するだけではなく、保護カバーと機器本体との嵌合寿命を飛躍的に向上させることができる。
【００２０】
本発明は、前記機器本体の凹み部を区画する一方の突き出し部の内壁面が、入力ペンのペン先に対向する上端から嵌合凹部にわたって、曲面に形成されていることを特徴とする。
【００２１】
この発明によれば、曲面に沿ってペン先をスムースに移動させて、入力ペンを嵌合凹部に嵌合することができ、入力ペンのペン先の破損を防止することができる。
【００２２】
【発明の実施の形態】
以下、本発明の第１実施形態について、図１ないし図９を参照しながら説明する。
【００２３】
本発明のペン入力型情報機器１は、タッチパネルＰが形成された機器本体２と、機器本体２に対して開閉自在に設けられてタッチパネルＰを保護する保護カバー３と、タッチパネルＰを介して手書きにより情報入力するための入力ペン４から構成されている。
【００２４】
タッチパネルＰは、入力ペン４により情報を入力するためのものである。このタッチパネルＰの下には、詳細には図示しないが、表示ディスプレイが配されており、ＬＳＩ・ＩＣ等により回路構成されたプリント基板とそれぞれヒートシール等で接続され、入力ペン４によりタッチパネルＰから入力された表示情報が、プリント基板を介して伝達されている。
【００２５】
機器本体２の端縁には、保護カバー３閉鎖時に、入力ペン４を収納したペン収納部６が嵌まり込む凹み部２１が形成されている。
【００２６】
凹み部２１は、図１に示すように、機器本体２の端縁部に形成された直方体状の切欠部であって、その左右両側が突き出し部２２によって区画されている。
【００２７】
また、凹み部２１を形成する一方の突き出し部２２の内壁面には、入力ペン４のペン先４１と嵌合する嵌合凹部２０が形成されている（図１参照）。
【００２８】
保護カバー３は、ヒンジ部５を介して、機器本体２に対して開閉自在に設けられている。このヒンジ部５は、一般的に割りピンなどで結合され、回転軸をなしているが、図示は省略している。
【００２９】
保護カバー３の、ヒンジ部５と対向する端縁には、突起部３０が設けられており、使用者がこの突起部３０に指を掛けて、保護カバー３を容易に開けることができるように図られている（図２参照）。したがって、スプリングなどを使用した保護カバーの押し上げ機構を設けなくても、使用者は、突起部３０を押し上げるだけで、容易に保護カバー３を開けることができる。
【００３０】
また、保護カバー３の突起部３０の近傍には、入力ペン４を収納するペン収納部６が設けられており、保護カバー３の閉鎖時に、ペン収納部６に収納された入力ペン４の一部と機器本体２とが嵌合することにより、保護カバー３が機器本体２に固定されるようになされている。
【００３１】
ペン収納部６は、入力ペン４を収納することが可能な中空筒状に形成され、先端には、入力ペン４のペン先４１を外部に突出させる穴６１が設けられている。また、ペン収納部６の内周の所定位置には、入力ペン４と嵌合することにより、入力ペン４をペン収納部６内において位置決めするための位置決め用凸部６２が形成されている（図５、図６参照）。
【００３２】
入力ペン４は、中空円筒状に形成されたペン本体部４０と、ペン先４１と、入力ペン４をペン収納部６から取り外す際に指を掛けるための突起４３と、から構成されている（図４参照）。
【００３３】
また、ペン本体部４０の外周面には、ペン収納部６に入力ペン４が収納された際に、ペン収納部６に設けられた位置決め用凸部６２と嵌合される位置決め用凹部４２が設けられている（図４、図５，図６参照）。
【００３４】
位置決め用凸部６２および位置決め用凹部４２は、入力ペン４をペン収納部６に移動可能な限り奥へ差し込んだときに、これら凸部６２と凹部４２とが嵌合されて入力ペン４がペン収納部６に固定されるように、設定されている。したがって、使用者は、入力ペン４をペン収納部６に収納する際に、位置決め用凸部６２と位置決め用凹部４２とが嵌合されるまで、入力ペン４をペン収納部６に差し込むだけでよく、差し込む距離を気にする必要がない。
【００３５】
なお、ペン先４１の先端を半球形状に形成すると、嵌合凹部２０とスムースに嵌合できるとともに、ペン先４１の破損を防止できるので、好ましい。
【００３６】
次に上記構成のペン入力型情報機器１において、入力ペン４をペン収納部６へ収納する過程について、図５および図６を参照しながら説明する。
【００３７】
まず、入力ペン４を、ペン収納部６内に矢印の方向から挿入する（図５（ａ）参照）。
【００３８】
そして、ペン収納部６の奥まで挿入し続けると、ペン収納部６の位置決め用凸部６２と入力ペン４の位置決め用凹部４２とが嵌合され（図６参照）、入力ペン４はペン収納部６内に固定される。このとき、入力ペン４のペン先４１の先端は、ペン収納部６の先端中心部に設けられた穴６１から外部に突出している（図６参照）。
【００３９】
なお、このペン先４１の突出量は、必要最小限に設定されている。
【００４０】
次に、上記構成のペン入力型情報機器１において、保護カバー３のペン収納部６に入力ペン４を収納した状態で、保護カバー３を閉鎖する過程について、図７ないし図９を参照しながら説明する。
【００４１】
まず、使用者は、入力ペン４をペン収納部６に収納した状態で、保護カバー３を閉じていく（図７参照）。
【００４２】
その後、入力ペン４のペン先４１の先端が、機器本体２の突き出し部２２に到達し（図８参照）、さらに、保護カバー３を閉じていくと、ペン収納部６の外部に突出している入力ペン４のペン先４１の先端と、機器本体２の嵌合凹部２０とが嵌合し、保護カバー３を閉鎖するとともに機器本体２に固定することができる（図９参照）。
【００４３】
この際、使用者は、ただ挿入可能な位置まで入力ペン４を差し込んだ後に、保護カバー３を閉鎖すれば、自動的に保護カバー３と機器本体２をロックすることができる。
【００４４】
また、保護カバー３閉鎖時には入力ペン４が保護カバー３のペン収納部６に収納され、さらに入力ペン４のペン先４１と基端部４４のいずれもが、機器本体２の各突き出し部２２の内壁面とそれぞれ接触しているので、入力ペン４が機器本体２の外部に露出することがなく、かつ、入力ペン４のペン先４１が、嵌合凹部２０と嵌合されており、保護カバー３が容易に開くことはないので、ペン入力型情報機器１の携帯中に、外力によって入力ペン４がペン収納部６から抜け落ちることが防止される。
【００４５】
さらに、保護カバー３を開いた状態においても、位置決め用凸部６２と位置決め用凹部４２とが嵌合されているため、入力ペン４不使用時に、入力ペン４が保護カバー３から不測に抜け落ちることが防止されている。
【００４６】
次に、本発明の第２実施形態について、図１０ないし図１２を参照しながら説明する。
【００４７】
この実施形態に係るペン入力型情報機器１は、第１実施形態に係るペン入力型情報機器１において、入力ペン４のペン先４１に対向する機器本体２の突き出し部２２に、周囲に溝２３を有して独立したリブ２４が形成され、該リブ２４に嵌合凹部２０が設けられている（図１０参照）。
【００４８】
リブ２４の周囲には、溝２３が形成されているため、リブ２４は弾性変形可能である。
【００４９】
このペン入力型情報機器１において、保護カバー３のペン収納部６に入力ペン４を収納した状態で、保護カバー３を閉鎖する過程について、図１１および図１２を参照しながら説明する。
【００５０】
まず、使用者は、入力ペン４をペン収納部６に収納した状態で、保護カバー３を閉じていく。
【００５１】
その後、入力ペン４のペン先４１の先端が、機器本体２の突き出し部２２に到達し（図１１参照）、さらに、保護カバー３を閉じていくと、ペン先４１が、リブ２４を該リブ２４と対向する突き出し部２２との間隔を広げる方向（図１１の矢印方向）に押圧するので、リブ２４が該方向に変形する（図１１参照）。
【００５２】
そして、ペン先４１の先端と機器本体２の嵌合凹部２０とが嵌合すると、リブ２４がもとの位置に戻り、保護カバー３を閉鎖するとともに機器本体２に固定することができる（図１２参照）。
【００５３】
このように、リブ２４を形成することで、嵌合時に、ペン先４１の先端および嵌合凹部２０に与える負荷による磨耗が減少するので、保護カバー３のロック機構の機械的寿命を向上させることができる。
【００５４】
次に、本発明の第３実施形態について、図１３ないし図１５を参照しながら説明する。
【００５５】
この実施形態に係るペン入力型情報機器１は、第１実施形態に係るペン入力型情報機器１において、入力ペン４が、ペン軸方向に伸縮自在に構成されている。
【００５６】
入力ペン４は、図１３に示すように、図４に示した入力ペン４において、ペン軸方向に伸縮自在とするための伸縮部４５が、ペン本体部４０に設けられたものである。
【００５７】
伸縮部４５は、ペン軸方向に形成された複数のスリット４６から構成されている。すなわち、中空円筒状のペン本体部４０に複数のスリット４６を設けることで、ペン本体部４０途中が細いリブ群により接合されることになる。このリブ群は長手方向の圧縮応力に対して伸縮可能であり、ペン本体部４０をＰＯＭ（ポリオキシメチレン）やナイロン等の変形しやすく、かつ変形に対して高寿命を有する材料で形成すれば、より効果的である。
【００５８】
次に、上記構成のペン入力型情報機器１において、保護カバー３のペン収納部６に入力ペン４を収納した状態で、保護カバー３を閉鎖する過程について、図１４および図１５を参照しながら説明する。
【００５９】
まず、使用者は、入力ペン４をペン収納部６に収納した状態で、保護カバー３を閉じていく。
【００６０】
次いで、図１４（ａ）に示すように、入力ペン４のペン先４１の先端が、機器本体２の突き出し部２２に到達すると、この突き出し部２２とペン先４１の先端とが干渉し、入力ペン４が矢印方向に押されることで、入力ペン４の伸縮部４５がペン軸方向に圧縮変形され、入力ペン４のペン先４１の先端が矢印方向に移動する。
【００６１】
さらに保護カバー３を閉じていくと、ペン収納部６の外部に突出している入力ペン４のペン先４１の先端と、機器本体２の嵌合凹部２０とが嵌合し、保護カバー３を閉鎖するとともに機器本体２に固定することができる（図１５（ａ）参照）。
【００６２】
このように、入力ペン４に伸縮部４５を設けることで、嵌合時にペン先４１の先端及び嵌合凹部２０に与える負荷による磨耗が減少し、保護カバー３のロック機構の機械的寿命を向上させることができる。
【００６３】
この場合、入力ペン４自体が、保護カバー３の閉鎖時にペン本体部４０長手方向に縮小することから、位置決め用凹部４２を、入力ペン４の縮小分に相当する距離だけ大きく形成すると、入力ペン４のペン本体部４０をよりスムースに縮小させることができる（図１５（ｂ）参照）。
【００６４】
次に、本発明の第４実施形態について、図１６ないし図１８を参照しながら説明する。
【００６５】
この実施形態に係るペン入力型情報機器１は、第１実施形態に係るペン入力型情報機器１において、機器本体２の、入力ペン４の基端部４４に対応する側の突き出し部２２の内壁面に窪みが形成され、この窪みに緩衝材７が取り付けられたものである（図１６参照）。
【００６６】
次に、上記構成のペン入力型情報機器１において、保護カバー３のペン収納部６に入力ペン４を収納した状態で、保護カバー３を閉鎖する過程について、図１７および図１８を参照しながら説明する。
【００６７】
まず、使用者は、入力ペン４をペン収納部６に収納した状態で、保護カバー３を閉じていく。
【００６８】
次いで、図１７（ａ）に示すように、ペン収納部６に収納された入力ペン４のペン先４１の先端が、機器本体２の突き出し部２２に到達すると、この突き出し部２２とペン先４１とが干渉し、入力ペン４が矢印方向に押される。この際、緩衝材７が入力ペン４の基端部４４に押されて圧縮変形する。
【００６９】
その後、入力ペン４のペン先４１の先端が突き出し部２２を通過してペン先４１の先端と嵌合凹部２０とが嵌合すると、緩衝材７のクッション性により、入力ペン４がペン先４１方向に戻され、保護カバー３が閉鎖されるとともに機器本体２に固定される（図１８（ａ）参照）。
【００７０】
このように、機器本体２に緩衝材７を配設することで、嵌合時にペン先４１の先端及び嵌合凹部２０に与える負荷による磨耗が減少し、ロック機構の機械的寿命を向上させることができる。
【００７１】
この場合、入力ペン４自体が、保護カバー３の閉鎖時にペン本体部４０長手方向に移動することから、位置決め用凹部４２を、入力ペン４の縮小分に相当する距離だけ大きく形成すると、入力ペン４のペン本体部４０をよりスムースに移動させることができる（図１８（ｂ）参照）。
【００７２】
次に、本発明の第５実施形態について、図１９および図２０を参照しながら説明する。
【００７３】
この実施形態に係るペン入力型情報機器１は、第１実施形態に係るペン入力型情報機器１において、機器本体２の一方の突き出し部２２の内壁面が、入力ペン４のペン先４１に対向する上端から嵌合凹部２０にわたって、曲面に形成されたものである（図１９、図２０参照）。この突き出し部２２に形成された曲面は、該突き出し部２２の上面から嵌合凹部２０にかけて、対向する一対の突き出し部２２，２２の内壁面間の間隔が連続的に減少するように円弧状に形成されたものである。
【００７４】
次に、保護カバー３のペン収納部６に入力ペン４を収納した状態で、保護カバー３を閉鎖する過程について、図２０を参照しながら説明する。
【００７５】
まず、使用者は、入力ペン４をペン収納部６に収納した状態で、保護カバー３を閉じていく。
【００７６】
次いで、ペン収納部６に収納された入力ペン４のペン先４１の先端が、機器本体２の突き出し部２２に到達すると、突き出し部２２とペン先４１の先端とが干渉しながら、図２０の矢印方向に入力ペン４が移動する。このとき、突き出し部２２が曲面に形成されているので、ペン先４１の先端は突き出し部２２上をスムースに移動することができる。
【００７７】
その後、入力ペン４のペン先４１の先端が突き出し部２２を通過してペン先４１の先端と嵌合凹部２０とが嵌合すると、保護カバー３が閉鎖されるとともに機器本体２に固定される。
【００７８】
【発明の効果】
以上説明したとおり、本発明によれば、入力ペンの紛失を効果的に防止するとともに、操作性を向上させることができる。
【図面の簡単な説明】
【図１】本発明のペン入力型情報機器の第１実施形態を示す斜視図である。
【図２】図１のペン入力型情報機器の保護カバーを閉じた状態を示す斜視図である。
【図３】図２のペン入力型情報機器の正面図である。
【図４】本発明のペン入力型情報機器の入力ペンの一例を示す正面図である。
【図５】図１のペン入力型情報機器において、入力ペンをペン収納部へ収納する過程を示す断面図、およびＡ部の拡大図である。
【図６】図１のペン入力型情報機器において、入力ペンをペン収納部へ収納した状態を示す断面図、およびＢ部の拡大図である。
【図７】図１のペン入力型情報機器において、入力ペンを収納した状態で保護カバーを閉鎖する過程を示す側面図である。
【図８】図７のＸ−Ｘ線断面図である。
【図９】図１のペン入力型情報機器において、入力ペンを収納して保護カバーを閉鎖した状態を示す断面図である。
【図１０】本発明のペン入力型情報機器の第２実施形態を一部省略して示す斜視図である。
【図１１】図１０のペン入力型情報機器において、入力ペンを収納して保護カバーを閉鎖する過程を示す断面図である。
【図１２】図１０のペン入力型情報機器において、入力ペンを収納して保護カバーを閉鎖した状態を示す断面図である。
【図１３】本発明のペン入力型情報機器の第３実施形態である入力ペンの変形例を示す正面図、およびＹ−Ｙ線断面図である。
【図１４】本発明のペン入力型情報機器の第３実施形態において、保護カバーが閉鎖される過程を示す断面図、およびＣ部、Ｄ部の拡大図である。
【図１５】本発明のペン入力型情報機器の第３実施形態において、入力ペンを収納して保護カバーを閉鎖した状態を示す断面図、およびＥ部の拡大図である。
【図１６】本発明のペン入力型情報機器の第４実施形態を一部省略して示す斜視図である。
【図１７】図１６のペン入力型情報機器において、入力ペンを収納して保護カバーを閉鎖する過程を示す断面図、およびＦ部、Ｇ部の拡大図である。
【図１８】図１６のペン入力型情報機器において、入力ペンを収納して保護カバーを閉鎖した状態を示す断面図、およびＨ部の拡大図である。
【図１９】本発明のペン入力型情報機器の第５実施形態を一部省略して示す斜視図である。
【図２０】図１９のペン入力型情報機器において、保護カバーを閉鎖する際に、保護カバーの入力ペン収納部に収納された入力ペンの動きを示す斜視図である。
【符号の説明】
１    ペン入力型情報機器
２    機器本体
２０    嵌合凹部
２１    凹み部
２２    突き出し部
２３    溝
２４    リブ
３    保護カバー
４    入力ペン
４１  ペン先
５    ヒンジ部
６    ペン収納部
７    緩衝材
Ｐ    タッチパネル
【図１】
2004258996.tif 000003
【図２】
2004258996.tif 000004
【図３】
2004258996.tif 000005
【図４】
2004258996.tif 000006
【図５】
2004258996.tif 000007
【図６】
2004258996.tif 000008
【図７】
2004258996.tif 000009
【図８】
2004258996.tif 000010
【図９】
2004258996.tif 000011
【図１０】
2004258996.tif 000012
【図１１】
2004258996.tif 000013
【図１２】
2004258996.tif 000014
【図１３】
2004258996.tif 000015
【図１４】
2004258996.tif 000016
【図１５】
2004258996.tif 000017
【図１６】
2004258996.tif 000018
【図１７】
2004258996.tif 000019
【図１８】
2004258996.tif 000020
【図１９】
2004258996.tif 000021
【図２０】
2004258996.tif 000022